(57)【要約】【課題】ネットワークに接続されたサーバ装置が提供する各種データを、再生装置が特別な手段を用いず閲覧、取得可能とすることにより、再生装置のコストを低減する。また、ネットワークに接続するための情報を記録媒体に記録することにより、通信コスト提言ときめ細かなサービスを提供可能とすること。【解決手段】サーバ装置に格納するデータ形式を、再生装置が備える再生機能を用いて再生可能なデータ形式とし、再生装置は受信したデータを、記録媒体のデータを再生する場合と同様の方法により再生する。また、記録媒体にネットワークに接続するための表示データを、前記データ形式と同様の形式で記録し、ネットワーク接続前に表示し、必要な場合にサーバ装置と接続する。【選択図】  図４
2005057376.tif 000002
【特許請求の範囲】
【請求項１】
サービスを提供するサーバ装置と、前記サーバ装置が提供するサービスを利用するクライアント装置と、ネットワークから成るクライアント・サーバシステムであって、
前記クライアント装置は、記録媒体に記録されている画像／音声データを読み出し可能な記録媒体読み出し手段と、前記記録媒体読み出し手段を介して読み出した画像／音声データを再生するデータ再生手段と、前記データ再生手段により再生された画像／音声データを出力するデータ出力手段とを具備し、
前記サーバ装置が提供するサービスは、前記クライアント装置のデータ再生手段が再生するデータ形式と同形式のデータあることを特徴とするクライアント・サーバシステム。
【請求項２】
請求項１記載のクライアント・サーバシステムであって、
前記クライアント装置は、前記画像／音声データに関連付けられた補助データを読み出す補助データ読み出し手段と、記録媒体から前記画像／音声データを再生する再生方法と前記補助データの表示方法を規定した再生情報を読み出し解析する再生情報制御手段と、前記再生制御手段の指示に従い、前記補助データと前記画像／音声データとを合成するデータ合成手段とを具備し、
前記サーバ装置が提供するサービスは、前記再生情報と前記補助データを含んだ形式のデータであることを特徴とするクライアント・サーバシステム。
【請求項３】
請求項２記載のクライアント・サーバシステムであって、
前記サーバ装置が提供するサービスは、前記クライアント装置が出力している前記画像／音声／補助データ
を更新し、新たな画像／音声／補助データを提供するためのリンク情報を含んだ形式のデータであることを特徴とするクライアント・サーバシステム。
【請求項４】
請求項１〜３記載のクライアント・サーバシステムにおいて、
前記サーバ装置は、記憶手段を有し、前記記憶手段に前記クライアント装置が再生するデータ形式と同形式のデータを格納し、前記クライアント装置から送信される指示に従い前記データを送信することを特徴とするサーバ装置。
【請求項５】
請求項１〜３記載のクライアント・サーバシステムにおいて、
前記クライアント装置は、前記サーバ装置が送信するデータを受信する受信手段と、メモリ手段と、受信したデータをデータ形式に応じて前記メモリ手段における所望の位置に格納するメモリ制御手段とを具備し、
前記記録媒体読み出し手段は、前記サーバ装置が提供するサービスを利用する際には、データ読み出し元を前記メモリ手段に変更し、前記データ再生手段により再生された画像／音声データを出力することを特徴とするクライアント装置。
【請求項６】
請求項１〜３記載のクライアント・サーバシステムにおいて、
前記クライアント装置は、前記サーバ装置が送信するデータを受信する受信手段と、メモリ手段と、受信したデータをデータ形式に応じて前記メモリ手段における所望の位置に格納するメモリ制御手段とを具備し、
前記記録媒体読み出し手段は、前記サーバ装置が提供するサービス利用時にデータ読み出し元を前記メモリ手段に変更し、前記データ再生手段は前記データ読み出し手段が前記メモリ手段より読み出した画像／音声データを再生し、前記データ出力手段は前記データ再生手段により再生された画像／音声データを出力することを特徴とするクライアント装置。
【請求項７】
請求項６記載のクライアント装置は、
前記サーバ装置が提供するサービスを利用する際に、少なくとも利用するサービスを提供するサーバ装置のネットワーク上のアドレスを含んだサービス受信用表示データを記録媒体から読み出し、前記データ再生手段により前記サービス受信用表示データを再生し、前記データ出力手段を介して出力することを特徴とするクライアント装置。
【請求項８】
画像／音声データと、前記画像／音声データに関連付けられた補助データと、前記画像／音声データを再生する再生方法と前記補助データの表示方法を規定した再生情報とを記録している記録媒体において、
前記記録媒体は、前記記録媒体を再生する再生装置がサーバ装置からサービスを受ける際に表示するサービス受信用表示データが記録されていることを特徴とする記録媒体。
【請求項９】
請求項８記載の記録媒体において、
前記サービス受信用表示データは、受信するサービスを提供するサーバ装置に関するサーバ情報を含むことを特徴とする記録媒体。
【請求項１０】
請求項９記載の記録媒体において、
前記サーバ情報は、少なくともサーバ装置のネットワーク上のアドレスを含むことを特徴とする記録媒体。
【発明の詳細な説明】
【０００１】
【発明の属する技術分野】
本発明は、画像／音声データを記録した記録媒体、前記記録媒体に記録されている画像／音声データを再生する再生装置、及びネットワークに接続されたサーバ装置に係り、特に再生する画像／音声データを選択するためのデータと、ネットワークに接続するためのデータとを記録している記録媒体、前記ネットワークに接続するためのデータを使用してネットワークに接続することが可能な再生装置、及び前記再生装置からの指示に従い、データを送信するサーバ装置に関する。
【０００２】
【従来の技術】
近年、パーソナルコンピュータ（以下、パソコン）とインターネットの普及により、利用者がネットワークに接続し、ネットワークに接続されたサーバコンピュータ（以下、サーバ）により提供される各種情報、例えば画像データ、文字データ、音声データ等を閲覧したり、取得する機会が増え、一般化している。さらに、パソコンを利用しての情報取得だけでなく、ＴＶ、ＤＶＤプレーヤ等のＡＶ（Ａｕｄｉｏ  Ｖｉｓｕａｌ）機器を利用しての情報閲覧、情報取得の要求が高まってきており、インターネットに接続可能なＡＶ機器が市販されている。
【０００３】
ＤＶＤプレーヤについては、高画質、高品質の画像／音声データ、例えば映画コンテンツ等を再生するための技術について規格化が進められており、さらに前記技術を採用したＤＶＤプレーヤではインターネットに接続して各種情報を表示する技術についても規格化が進められている。（例えば、非特許文献１参照）
【０００４】
【非特許文献１】
「日経エレクトロニクス７月２１日号」日経ＢＰ社、２００３年７月２１日発行、Ｐ．１２５−１３８
【０００５】
【発明が解決しようとする課題】
パソコンを利用してインターネット上のサーバから各種情報を閲覧、取得する場合、パソコンで利用可能なブラウザソフトウェア（以下、ブラウザ）を使用する。前記サーバは、パソコンからの要求に応じて、例えばＨＴＭＬ（Ｈｙｐｅｒ  Ｔｅｘｔ  Ｍａｒｋｕｐ  Ｌａｎｇｕａｇｅ）形式のファイルや、例えばＪＰＥＧ形式の画像ファイルを送信する。前記ブラウザは前記サーバから送信される各種ファイルを解析し、パソコンの出力装置に出力する。
【０００６】
一方、ＤＶＤプレーヤ等の機器を利用してインターネット上のサーバから各種情報を閲覧、取得する場合、前記ＤＶＤプレーヤ等の機器で利用可能なブラウザを機器内に搭載し、前記パソコンによる出力方法と同様の方法により、前記機器に接続されたＴＶ等の出力装置に各種情報を表示する。そのため、前記ＤＶＤプレーヤ等の機器で利用可能なブラウザを開発する必要があるため、前記機器のコストが上がったり、前記機器の開発に要する作業量が増えてしまうという課題がある。
【０００７】
また、前記サーバが提供する各種情報は、パソコンで閲覧することを前提に製作されているものが多く、前記各種情報を前記ＤＶＤプレーヤ等の機器を介してＴＶに出力した場合、出力装置の解像度の違いから前記情報が見難くなってしまうという課題がある。
【０００８】
本発明の目的は、前記課題に鑑み、サーバが提供する各種情報は、前記再生装置が再生する記録媒体に記録されている画像／音声／グラフィックデータと同形式のデータで提供することにより、ネットワーク接続機能を有するＤＶＤプレーヤ等の再生装置において、特別なブラウザを利用せずに前記サーバから送信される各種情報を閲覧、取得することを可能とすることにある。
【０００９】
【課題を解決するための手段】
上記目的を達成するために、本発明は、画像／音声／グラフィックデータを再生する再生装置において、受信したネットワーク接続指令に応じて、接続指示があったサーバ装置へ接続し、画像／音声／グラフィックデータをダウンロードし再生する再生技術とする。
【００１０】
また、前記サーバ装置が送信する画像／音声／グラフィックデータは、再生装置が再生可能な記録媒体に記録されている画像／音声／グラフィックデータと同形式のデータとし、受信したデータ取得指示に応じて前記データを送信するサーバ技術とする。
【００１１】
さらに、前記再生装置は、再生可能な記録媒体に記録されている、ネットワークに接続するためのネットワーク接続情報や画像／音声／グラフィックデータを読み出し、再生するが、前記ネットワークに接続するための画像／音声／グラフィックデータは前記サーバ装置が送信するデータと同形式のデータとして記録媒体に記録される記録媒体技術とする。
【００１２】
【発明の実施の形態】
以下、本発明による再生装置の実施の形態について、ＤＶＤプレーヤの実施例を用い、図を参照して説明する。
【００１３】
ここで明細書で使用する語句について説明する。
前記サーバ装置が送信する画像／音声／グラフィックデータとは、画像データであればＭＰＥＧ−２（Ｍｏｖｉｎｇ  Ｐｉｃｔｕｒｅ  Ｅｘｐｅｒｔｓ  Ｇｒｏｕｐ  ２）やＭＰＥＧ−４など、音声データであればＭＰＥＧ−１  Ａｕｄｉｏ（Ｍｏｖｉｎｇ  Ｐｉｃｔｕｒｅ  Ｅｘｐｅｒｔｓ  Ｇｒｏｕｐ  １  Ａｕｄｉｏ）やＭＰＥＧ−２  ＡＡＣ（ＭＰＥＧ−１  Ａｄｖａｎｃｅｄ  Ａｕｄｉｏ  Ｃｏｄｉｎｇ）など、グラフィックデータであれば表示装置の画面上に表示されるボタンや背景などであり、例えば映画コンテンツを再生するために使用される機能を用いて再生可能なデータである。
【００１４】
前記記録媒体とは、その内部にデータを記録及び保存ができるものであり、例えば映画コンテンツを記録しているＤＶＤディスクであったり、ＤＶＤ−ＲＡＭ、ＤＶＤ−Ｒ、ＤＶＤ−ＲＷなどである。
【００１５】
まず、画像／音声／グラフィックデータを記録媒体から読み出し、再生する方法について説明する。図１はＤＶＤプレーヤの一実施例を示すブロック図である。光ピックアップなどの再生ヘッドによりＤＶＤディスク１３２から読み出された画像／音声データは、分離化処理部１０１により分離され、デジタル符号化された画像データとデジタル符号化された音声データに変換される。前記再生ヘッドとは、記録媒体からデータを再生するものであれば、種類は特に限定されない。再生ヘッドは、例えばＤＶＤなど光ディスクの光ピックアップ、ＨＤＤなど磁気記録媒体の磁気ヘッド、メモリカードなど半導体記録媒体の信号処理回路などである。
【００１６】
画像データに関しては、画像復号部１０２はデジタル符号化された画像データを復号し、ＯＳＤ合成部１０３はメインＣＰＵ１２０からの指示に応じてグラフィックデータと復号された画像データとを合成し、画像信号処理部１０４はＯＳＤ合成部１０３から出力される画像データをＮＴＳＣなどへのフォーマット変換し、画像出力端子１０５を介して、外部画像表示装置、例えばＴＶ等に出力する。なお、メインＣＰＵ１２０がＯＳＤ合成部１０３に対して行う指示は、利用者によるグラフィック表示指示、例えば再生装置が備えるメニュー等を表示する場合や、再生中の記録媒体に記録されているグラフィック表示指示に従ってグラフィックを表示する場合に行われる。
【００１７】
また、音声データに関しては、音声復号部１１０はデジタル符号化された音声データを復号し、音声信号処理部１１１は音声復号部１１０において復号された音声データをＤ／Ａ変換してアナログ音声信号に変換し、増幅し、音声出力端子１１２を介して、外部出力装置、例えばスピーカ等に出力する。
【００１８】
以上示した方法により、前記再生装置において、前記記録媒体に記録されている画像／音声データを再生する。
【００１９】
次にネットワーク接続機能を有する前記再生装置が、ネットワークに接続されたサーバから送信される画像／音声／グラフィックデータを受信し、表示する方法について説明する。
【００２０】
図２において、２１はネットワーク接続されたサーバ、２２は前記ネットワーク接続機能を有する再生装置、２３はネットワークである。前記サーバ２１は、各種情報、例えばＨＴＭＬ形式のファイルや動画／静止画の画像データを格納しており、ネットワークに接続された装置から送信される情報取得要求に応じて、目的のファイルやデータを情報取得要求の送信元である装置に送信する。前記再生装置は、利用者からの指示に従い、ネットワークに接続し、目的のサーバ２１に情報取得要求を送信し、目的のファイルやデータを取得する。なお、前記サーバ２１や前記再生装置がネットワークに接続する手段として、有線・無線による方法があるが、本実施例においては接続形態はいづれでも良い。
【００２１】
前記再生装置におけるメインＣＰＵ１２０は、利用者から送信される、サーバ２１が格納している前記データの閲覧、取得の指示に応じてネットワーク制御部を制御し、ネットワーク制御部はメインＣＰＵ１２０の指示に応じてネットワークＩ／Ｆを介して目的のサーバ２１に接続する。また、ネットワーク制御部は、サーバ２１から送信される前記データを受信すると、前記データをＲＡＭ（Ｒａｎｄｏｍ  Ａｃｃｅｓｓ  Ｍｅｍｏｒｙ）に格納し、メインＣＰＵ１２０に通知する。メインＣＰＵ１２０は、受信したデータの解析を行い、例えばＨＴＭＬファイルであれば前記ファイルに記述されている指示に従い、表示画面を作成し、作成した画面データを前記ＯＳＤ合成部１０３に送信し、外部画像表示装置に出力する。前記ＨＴＭＬファイルは、前記サーバ２１が提供する各種情報を表示するために必要なデータや、外部画像表示装置上に表示された例えばボタン等が選択された後に表示するデータの格納先と言ったリンク情報を含んでおり、利用者は前記外部画像表示装置に表示されたデータを更新しながら目的の情報を閲覧、取得する。
【００２２】
以上示した方法により、再生装置は、記録媒体に記録されている画像／音声データを再生し、ネットワークに接続されたサーバ２１から送信されるデータを表示する。
【００２３】
次に本実施例における前記ＯＳＤ合成部１０３の処理について説明する。
図３において、３１１は前記画像復号部１０２により復号された画像データを格納する画像メモリ、３１２は文字データを格納する文字メモリで、例えばＤＶＤディスクに記録されている字幕データ等を格納するメモリであり、３１３はグラフィックデータを格納するグラフィックメモリで、例えば外部表示装置に表示するボタン等を格納するメモリであり、３１４は前記画像メモリ３１１と前記文字メモリ３１２と前記グラフィックメモリ３１３に格納された各データを合成し外部表示装置に出力した場合の一実施例である。前記再生装置において、前記画像復号部１０２は、ＤＶＤディスク等の記録媒体から読み出され前記分離化処理部により分離された画像データを復号し、前記画像メモリ３１１に格納する。
【００２４】
一方、メインＣＰＵ１２０は、再生中の記録媒体に記録されている文字データや、グラフィックデータを読み出し、文字データは文字メモリ３１２へ格納し、グラフィックデータはグラフィックメモリ３１３に格納する。さらに、メインＣＰＵ１２０はＯＳＤ合成部１０３を制御し、前記画像メモリ３１１に格納された画像データと前記文字メモリ３１２に格納された文字データと前記グラフィックメモリ３１３に格納されたグラフィックデータとを合成し、３１４に示す形態で外部表示装置に出力する。
【００２５】
なお、前記記録媒体に記録されている文字データは、一文字毎に割り当てられている文字コードであっても、文字自体がグラフィックであっても良い。文字コードの場合、メインＣＰＵ１２０は文字コードに合ったフォントデータを前記再生装置が備えるフォントデータ格納領域から読み出し、文字メモリ３１２に格納する。
【００２６】
また、前記記録媒体に記録されているグラフィックデータは、利用者により選択された後に表示するデータに関するリンク情報、例えば記録媒体内の記録アドレス等の情報を持ち、メインＣＰＵ１２０は利用者により前記グラフィックデータが選択された場合、前記リンク情報を解析し、次に表示するデータを記録媒体から読み出し、表示する。
【００２７】
以上示した方法により、前記画像データと前記文字データと前記グラフィックデータとを合成して表示し、利用者からの指示に応じて表示データを変更する。
【００２８】
上述した方法でネットワークに接続されたサーバが格納しているデータを表示する場合、前記再生装置は前記サーバから送信されるＨＴＭＬファイルを解析し、表示画面を作成する手段が必要である。そこで、次に、本実施例における再生装置を用いて、前記再生装置が備える再生機能を用いて、サーバから送信される画像／音声／グラフィックデータを表示する方法について説明する。
【００２９】
図４において、４１はネットワークに接続された本発明を適用した再生装置用データ格納サーバであり、４２は本実施例による再生装置であり、図２における再生装置と同様の再生機能を有する装置である。再生装置用データ格納サーバ４１は、例えば前記ＨＴＭＬファイルで提供するデータを、前記再生装置が再生可能な画像／音声／文字／グラフィックデータで提供するよう、前記画像／音声／文字／グラフィックデータを格納する。すなわち、前記再生装置用データ格納サーバ４１は、画像データと音声データを前記再生装置で再生可能なデータ形式に符号化し、多重化して格納しておき、例えば前記ＨＴＭＬファイルで表示するよう指示がある文字データは、前記再生装置が前記記録媒体から取得することが可能な文字データの形式で格納しておき、例えば前記ＨＴＭＬファイルで表示指示された、前記リンク情報を持つボタン等のグラフィックデータを、前記再生装置が前記記録媒体から取得することが可能なグラフィックデータの形式で格納しておく。
【００３０】
前記再生装置用データ格納サーバ４１は、前記再生装置からの指示に従い、前記再生装置用データ格納サーバ４１に格納された再生装置が再生可能な記録媒体内の画像／音声／文字／グラフィックデータの形式の各データを前記再生装置に送信する。
【００３１】
ここで前記再生装置用データ格納サーバ４１が格納する画像／音声／文字／グラフィックデータは、パソコンで使用するモニタ装置のような高解像度の表示装置ではなく、ＴＶ等の低解像度の表示装置に表示されても閲覧が可能なように作成する。
【００３２】
次に前記再生装置が前記再生装置用データ格納サーバ４１から送信されるデータを受信し、外部画像表示装置に出力する方法について説明する。
【００３３】
前記再生装置におけるメインＣＰＵ１２０は、前記ネットワーク制御部を制御し、前記再生装置用データ格納サーバ４１から送信される前記データを受信し、ＲＡＭに格納する。さらに、メインＣＰＵ１２０は、ＲＡＭに格納した前記データの内、画像／音声データを分離処理部に送信し、前記分離処理部は送信された画像／音声データを分離し、画像データであれば画像復号部１０２へ送信し、音声データであれば音声復号部１１０へ送信する。
【００３４】
画像復号部１０２は、送信されたデジタル符号化された画像データを復号し、ＯＳＤ合成部１０３へ送信する。また、メインＣＰＵ１２０は、再生装置用データ格納サーバ４１から送信された前記データから文字データやグラフィックデータを、前記文字メモリ３１２と前記グラフィックメモリ３１３のそれぞれに送信し、前記再生装置用データ格納サーバ４１から送信されたデータに含まれる再生情報、例えばグラフィック表示指示や文字表示指示等に従い、前記ＯＳＤ合成部１０３を制御し、復号した画像データと前記文字データと前記グラフィックデータを合成し、前記画像信号処理部１０４、前記画像出力端子１０５を介して外部表示装置に出力する。
【００３５】
一方、音声復号部１１０は、送信されたデジタル符号化された音声データを復号し、音声信号処理部１１１、音声出力端子１１２を介して外部出力装置に出力する。
【００３６】
以上示した方法により、前記再生装置が備える再生機能を用いて、例えばＨＴＭＬファイルを解析するための手段を用いずとも、サーバから送信される画像／音声／文字／グラフィックデータを表示し、ネットワークに接続されたサーバが格納する各種情報を表示することが可能となる。
【００３７】
次に、本実施例による再生装置が再生する記録媒体について説明する。
図５は、記録媒体に記録されているデータの一実施例である。５００は、記録媒体に記録された各種データの記録イメージの模式図である。５０１は、記録媒体を再生するための再生管理情報であり、前記記録媒体に記録されている画像／音声データを再生するための情報を含む。
【００３８】
例えばランダムアクセスするための画像／音声データが記録されている記録媒体内のアドレスや画像／音声データの符号化形式、例えば画像データであればＭＥＰＧ−２（Ｍｏｖｉｎｇ  Ｐｉｃｔｕｒｅ  Ｅｘｐｅｒｔｓ  Ｇｒｏｕｐ  ２）であったり、例えば音声データであればＭＰＥＧ−１  Ａｕｄｉｏ（Ｍｏｖｉｎｇ  Ｐｉｃｔｕｒｅ  Ｅｘｐｅｒｔｓ  Ｇｒｏｕｐ  １  Ａｕｄｉｏ）等の形式、画像／音声データを任意の単位でグループ化した際のグループ情報、例えばＤＶＤディスクに記録され市販されている映画コンテンツであればチャプタやタイトル情報、等である。５０２は再生する画像／音声データである。
【００３９】
５０３は、文字メモリ３１２に格納し表示する文字データであり、例えば前記ＤＶＤディスクであれば映画コンテンツの字幕データ等である。５０４は、グラフィックメモリ３１３に格納し表示するグラフィックデータであり、例えば前記画像／音声データを再生する際に表示するボタン等のグラフィックデータである。５０５は、ネットワークに接続する際に必要なネットワーク接続情報である。通常、前記再生装置においてネットワークに接続する際には、ネットワークに接続されたサーバに関するサーバ情報、例えば電話回線でネットワークに接続する場合には接続先の電話番号やネットワーク上のアドレス等が必要である。
【００４０】
また、ネットワーク接続のためのネットワーク接続前表示データを記録媒体に記録することにより、例えばネットワーク接続前表示データと、前記再生装置が再生装置用データ格納サーバ４１から送信されるデータとを差別化することができる。また、利用者が希望する場合にのみネットワークに接続することによりネットワークに接続するための通信コストを削減したり、使い勝手の良い再生装置を提供することが可能となる。前記ネットワーク接続情報は、前記を実現するための前記サーバ情報や前記ネットワーク接続前表示データの記録媒体内の記録アドレス等から成る。
【００４１】
５０６は、前記ネットワーク接続前表示データ用の画像／音声データ、５０７は前記ネットワーク接続前表示データ用の文字データ、５０８は前記ネットワーク接続前表示データ用のグラフィックデータである。前記再生装置は、利用者からの指示に従い、前記ネットワーク接続情報を記録媒体から読み出し、前記再生装置が備える再生機能により、ネットワーク接続前表示データを表示する。
【００４２】
以上示した方法により、ネットワークに接続する際の通信コストを削減できたり、使い勝手の良い再生装置を提供することが可能となる。
【００４３】
以上説明したように、本実施例によれば、再生装置に、格納するデータに応じて使用するメモリが異なるＯＳＤ合成部を設け、サーバ装置に、前記再生装置が備える再生機能で再生可能な形式でデータを格納し、前記画像／音声再生装置は前記サーバ装置から受信する前記データを、記録媒体に記録されているデータを再生する場合と同様の方法により再生することにより、例えばパソコンで使用されいているブラウザ等の特別な手段を用いず、サーバ装置が提供する各種情報を閲覧、取得することが可能となり、また、低解像度の表示装置においても見難くならないという利点が得られる。さらに、前記記録媒体に、前記サーバ装置と同形式のデータを記録しておき、ネットワークに接続する前に表示することにより、ネットワーク接続の際の通信コストを削減でき、きめ細かなサービスを提供可能となるため、再生装置におけるサーバ装置の情報閲覧、取得の使い勝手を向上させることができる。
【００４４】
【発明の効果】
本発明によれば、サーバ装置が提供する各種情報を閲覧、取得するための手段を開発する必要がなくなり、再生装置の開発期間を短縮でき、再生装置のコストを低減することが可能となる。
【００４５】
また、本発明では、利用者が希望する場合にのみサーバ装置へ接続するため、通信コストを低減でき、さらにきめ細かなサービスを提供することが可能となる。
【図面の簡単な説明】
【図１】本発明を適用した再生装置における再生部の一実施例を示すブロック図である。
【図２】ネットワークを介して、サーバ装置が提供する各種情報を閲覧、取得する際の構成を示す従来例を示す図である。
【図３】本実施例による再生装置におけるＯＳＤ合成部の一実施例を示す構成図である。
【図４】本実施例によるサーバ装置が提供する各種情報を閲覧、取得する際の構成を示す一実施例である。
【図５】本実施例による記録媒体に記録されているデータを示す一実施例である。
【符号の説明】
１０１…分離化処理部、１０２…画像復号部、１０３…ＯＳＤ合成部、１１０…音声復号部、１２０…メインＣＰＵ、１２１…ＲＡＭ、１３０…ＤＶＤドライブ制御部、１３２…ＤＶＤディスク、１４０…ネットワーク制御部、２１…サーバ装置、２２…再生装置、２３…ネットワーク、３１１…画像メモリ、３１２…文字メモリ、３１３…グラフィックメモリ、３１４…画面表示イメージ、４１…再生装置用データ格納サーバ、４２…再生装置、４３…ネットワーク接続情報格納記録媒体、５００…記録媒体内のデータ記録イメージ、５０５…ネットワーク接続情報、５０６…ネットワーク接続用画像／音声データ、５０７…ネットワーク接続用文字データ、５０８…ネットワーク接続用グラフィックデータ。
【図１】
2005057376.tif 000003
【図２】
2005057376.tif 000004
【図３】
2005057376.tif 000005
【図４】
2005057376.tif 000006
【図５】
2005057376.tif 000007